(57)【要約】【課題】  フレ止め部材を利用して格子状の下地構造を簡単に得られるようにする。【解決手段】  所定間隔で配置された多数の金属製四角筒１，１・・に、多数のフレ止め部材２，２・・を貫通支持してなる建造物用下地構造において、前記フレ止め部材２，２・・の間隔Ｄ2を、前記金属製四角筒１，１・・の間隔Ｄ1と略同間隔とするとともに、これらのフレ止め部材２，２・・に、前記金属製四角筒１，１・・の間に位置して該金属製四角筒１，１・・と面一となる間柱１４，１４・・を取り付けるようにして、フレ止め部材２，２・・に間柱１４，１４・・を取り付けるという簡単な手法で、金属製四角筒１，１・・と間柱１４，１４・・とによって格子状の下地構造が得られるようにする。【選択図】        図１
2005330720.tif 000002
【特許請求の範囲】
【請求項１】
所定間隔で配置された多数の金属製四角筒（１），（１）・・に、多数のフレ止め部材（２），（２）・・を貫通支持してなる建造物用下地構造であって、前記フレ止め部材（２），（２）・・の間隔（Ｄ2）が、前記金属製四角筒（１），（１）・・の間隔（Ｄ1）と略同間隔とされており、これらのフレ止め部材（２），（２）・・には、前記金属製四角筒（１），（１）・・の間に位置して該金属製四角筒（１），（１）・・と面一となる間柱（１４），（１４）・・を取り付けたことを特徴とする建造物用下地構造。
【請求項２】
前記各間柱（１４）は、前記フレ止め部材（２）が挿入される開口（１７）を一面に有する断面Ｃ形状の間柱本体（１５）と、該間柱本体（１５）の両端に嵌挿され、前記フレ止め部材（２）を固定する固定金具（１６）とによって構成したことを特徴とする請求項１記載の建造物用下地構造。
【請求項３】
前記固定金具（１６）は、前記フレ止め部材（２）が嵌挿される嵌合凹溝（２１）を備えた切欠開口（２０）を有しており、該切欠開口（２０）の口縁には、前記嵌合凹溝（２１）を覆う位置と該嵌合凹溝（２０）を開放する位置とに屈曲変形可能な係合片（２３）が一体に形成されていることを特徴とする請求項２記載の建造物用下地構造。
【発明の詳細な説明】
【技術分野】
【０００１】
本願発明は、建造物用下地構造に関し、さらに詳しくは、格子状に形成された建造物用下地構造に関するものである。
【背景技術】
【０００２】
天井用あるいは壁用として用いられる建造物用下地構造としては、特許文献１に開示されているものがある。
【０００３】
該特許文献１に開示されている建造物用下地構造は、所定間隔で配置された多数の金属製四角筒に、多数のフレ止め部材・・を貫通支持することにより、堅牢性を確保するようにしたものである。
【０００４】
【特許文献１】特開平１１−２７００９７号公報。
【発明の開示】
【発明が解決しようとする課題】
【０００５】
ところが、上記特許文献１に開示されている建造物用下地構造の場合、金属製四角筒に対して貫通支持されるフレ止め部材によりある程度の堅牢性は確保できるものの、フレ止め部材と金属製四角筒との間に段差が生じるところから、内装板あるいは外装板を貼設する際には、縦貼りあるいは横貼りのいずれかに限定されるという不具合が存する。
【０００６】
近年、マンション等において、間取りの変更が容易なように、格子状の下地構造が求められるようになってきている。このような要求を満たすために、従来のフレ止め部材を有効に利用して、格子状の下地構造が得られることに着目して、本願発明はなされてのである。
【０００７】
本願発明は、上記の点に鑑みてなされたもので、フレ止め部材を利用して格子状の下地構造を簡単に得られるようにすることを目的とするものである。
【課題を解決するための手段】
【０００８】
本願発明では、上記課題を解決するための第１の手段として、所定間隔で配置された多数の金属製四角筒１，１・・に、多数のフレ止め部材２，２・・を貫通支持してなる建造物用下地構造において、前記フレ止め部材２，２・・の間隔Ｄ2を、前記金属製四角筒１，１・・の間隔Ｄ1と略同間隔とするとともに、これらのフレ止め部材２，２・・に、前記金属製四角筒１，１・・の間に位置して該金属製四角筒１，１・・と面一となる間柱１４，１４・・を取り付けている。
【０００９】
上記のように構成したことにより、フレ止め部材２，２・・に間柱１４，１４・・を取り付けるという簡単な手法で、金属製四角筒１，１・・と間柱１４，１４・・とによって格子状の下地構造が得られる。従って、ボード（内装板あるいは外装板）の縦貼りおよび横貼りが自由にできることとなるし、格子状に組むことにより、下地の強度がより一層強固となる。また、ボード（内装板あるいは外装板）を貼設する際に、金属製四角筒１，１・・および間柱１４，１４・・に対してビス止めが可能となるので、下地とボードとが一体化されることとなり、さらに強度が向上する。さらに、天井用として使用した場合、格子状を呈しているところから、間仕切り用のランナをどの位置（即ち、金属製四角筒１，１・・あるいは間柱１４，１４・・）にも取り付けることができることとなり、間取りの変更が簡単にできる。
【００１０】
本願発明では、さらに、上記課題を解決するための第２の手段として、上記第１の手段を備えた建造物用下地構造において、前記各間柱１４を、前記フレ止め部材２が挿入される開口１７を一面に有する断面Ｃ形状の間柱本体１５と、該間柱本体１５の両端に嵌挿され、前記フレ止め部材２を固定する固定金具１６とによって構成することもでき、そのように構成した場合、間柱本体１５の両端に固定金具１６を嵌挿した状態でフレ止め部材２に取り付けるだけでよく、間柱１４のフレ止め部材２，２・・への取付が極めて簡単に行える。
【００１１】
本願発明では、さらに、上記課題を解決するための第３の手段として、上記第２の手段を備えた建造物用下地構造において、前記固定金具１６に、前記フレ止め部材２が嵌挿される嵌合凹溝２１を備えた切欠開口２０を形成するとともに、該切欠開口２０の口縁に、前記嵌合凹溝２１を覆う位置と該嵌合凹溝２１を開放する位置とに屈曲変形可能な係合片２３を一体に形成することもでき、そのように構成した場合、係合片２３を屈曲変形するという簡単な操作により、フレ止め部材２を嵌合凹溝２１に嵌挿固定させることが可能となり、簡単且つ強固なフレ止め部材２の取付状態が得られる。
【発明の効果】
【００１２】
本願発明の第１の手段によれば、所定間隔で配置された多数の金属製四角筒１，１・・に、多数のフレ止め部材２，２・・を貫通支持してなる建造物用下地構造において、前記フレ止め部材２，２・・の間隔Ｄ2を、前記金属製四角筒１，１・・の間隔Ｄ1と略同間隔とするとともに、これらのフレ止め部材２，２・・に、前記金属製四角筒１，１・・の間に位置して該金属製四角筒１，１・・と面一となる間柱１４，１４・・を取り付けるようにして、フレ止め部材２，２・・に間柱１４，１４・・を取り付けるという簡単な手法で、金属製四角筒１，１・・と間柱１４，１４・・とによって格子状の下地構造が得られるようにしたので、ボード（内装板あるいは外装板）の縦貼りおよび横貼りが自由にできることとなるし、格子状に組むことにより、下地の強度がより一層強固となるという効果がある。また、ボード（内装板あるいは外装板）を貼設する際に、金属製四角筒１，１・・および間柱１４，１４・・に対してビス止めが可能となるので、下地とボードとが一体化されることとなり、さらに強度が向上するという効果もある。さらに、天井用として使用した場合、格子状を呈しているところから、間仕切り用のランナをどの位置（即ち、金属製四角筒１，１・・あるいは間柱１４，１４・・）にも取り付けることができることとなり、間取りの変更が簡単にできるという効果もある。
【００１３】
本願発明の第２の手段におけるように、上記第１の手段を備えた建造物用下地構造において、前記各間柱１４を、前記フレ止め部材２が挿入される開口１７を一面に有する断面Ｃ形状の間柱本体１５と、該間柱本体１５の両端に嵌挿され、前記フレ止め部材２を固定する固定金具１６とによって構成することもでき、そのように構成した場合、間柱本体１５の両端に固定金具１６を嵌挿した状態でフレ止め部材２，２・・に取り付けるだけでよく、間柱１４，１４・・のフレ止め部材２，２・・への取付が極めて簡単に行える。
【００１４】
本願発明の第３の手段におけるように、上記第２の手段を備えた建造物用下地構造において、前記固定金具１６に、前記フレ止め部材２が嵌挿される嵌合凹溝２１を備えた切欠開口２０を形成するとともに、該切欠開口２０の口縁に、前記嵌合凹溝２１を覆う位置と該嵌合凹溝２１を開放する位置とに屈曲変形可能な係合片２３を一体に形成することもでき、そのように構成した場合、係合片２３を屈曲変形するという簡単な操作により、フレ止め部材２を嵌合凹溝２１に嵌挿固定させることが可能となり、簡単且つ強固なフレ止め部材２の取付状態が得られる。
【発明を実施するための最良の形態】
【００１５】
以下、添付の図面を参照して、本願発明の幾つかの好適な実施の形態について詳述する。
【００１６】
第１の実施の形態
図１ないし図４には、本願発明の第１の実施の形態にかかる建造物用下地構造が示されている。
【００１７】
この建造物用下地構造は、天井用として用いられるものであり、図１に示すように、多数の金属製四角筒１，１・・を所定間隔Ｄ1で配置するとともに、前記金属製四角筒１，１・・に、フレ止め部材であるチャンネル２，２・・を貫通支持して構成されている。なお、前記チャンネル２，２・・の間隔Ｄ2は、前記金属製四角筒１，１・・の間隔Ｄ1と略同間隔とされている。符号３，４は金属製四角筒１，１・・の両端を支持するために壁面Ｗに固定されるランナーである。
【００１８】
図２に示すように、前記金属製四角筒１の四面１ａ〜１ｄのうち一方の相対向する二面１ａ，１ｃは正面および裏面とされ、該正面１ａと裏面１ｃの横方向ほぼ中央部には、前記チャンネル２を嵌合するためのチャンネル嵌合溝７を底部に有する正面側開口５と、該正面側開口５と相対向し且つ底部にチャンネル嵌合溝８を有する裏面側開口６とがそれぞれ形成されている。
【００１９】
前記正面側開口５の一方の片側口縁５ａ（換言すれば、チャンネル嵌合溝７の側方に位置する一方の片側口縁５ａ）には、該片側口縁５ａを折曲部９として開閉自在とされ且つ閉止時に前記チャンネル２に近接される固定片１０が一体に突設されている。該固定片１０の自由端と正面側開口５の他方の片側口縁５ｂとの間には隙間が形成される。本実施の形態においては、前記固定片１０の開閉中心となる折曲部９には、該固定片１０の開閉動作を容易ならしめるための折曲補助手段として作用する長穴１１が形成されている。該長穴１１は折曲部９の剛性を低減させて固定片１０の開閉を容易ならしめるためのものである。なお、長穴１１の形成個数は任意である。
【００２０】
前記チャンネル嵌合溝７は、チャンネル２の横幅よりやや幅広とされており、その両側口縁には、前記チャンネル２の嵌合時に該チャンネル２の両側面に圧接される舌片１２，１２が一体に形成されている。つまり、チャンネル嵌合溝７にチャンネル２が嵌合された状態においては、チャンネル２は、舌片１２，１２の圧接力により横方向移動が許容されない状態とされているのである。
【００２１】
前記固定片１０は、前記チャンネル２の挿通時にチャンネル２の先端により横向きに押し開かれるか、チャンネル２の挿通前に手指により予め横向きに押し開かれ、チャンネル２がチャンネル嵌合溝７に位置決めされた状態において指力により横向きに閉じられることとなっている。そして、閉じられた状態において、固定片１０がチャンネル２に近接されてチャンネル２の移動が規制されるようになっている。なお、閉じられた状態において、固定片１０の下端とチャンネル２との間に若干の隙間が介在される方が、固定片１０の操作性を良好ならしめるためには好ましい。該隙間は、チャンネル２が舌片１２，１２による規制力が作用しないようになるまで上方へ移動することができない程度の大きさとされる。
【００２２】
また、前記正面側開口５において前記固定片１０の側方は、該固定片１０の開閉操作時において指等の出入りを許容する余剰開口１３とされている。
【００２３】
そして、前記チャンネル２，２・・には、前記金属製四角筒１，１・・の間に位置して該金属製四角筒１，１・・と面一となる間柱１４，１４・・が取り付けられている。
【００２４】
該各間柱１４は、図３に示すように、前記チャンネル２が挿入される開口１７を一面に有する断面Ｃ形状の金属製の間柱本体１５と、該間柱本体１５の両端に嵌挿固定され、前記チャンネル２を固定する固定金具１６とによって構成されている。前記間柱本体１５の長さＬおよび厚さｔ2は、前記金属製四角筒１の間隔Ｄ1および厚さｔ1と略同等とされており、取付状態において金属製四角筒１，１・・と間柱１４とが面一となり、格子状下地構造を構成することとなっている。
【００２５】
前記間柱本体１５は、前記開口１７を挟んで相対向する２面１５ａ，１５ｃと、該２面１５ａ，１５ｃを前記開口１７と対向する側において連結する連結面１５ｂとからなっており、前記開口１７の口縁１７ａ，１７ａには、該開口１７を挟む２面１５ａ，１５ａの剛性を強化する断面Ｌ字状の補強リブ１８，１８が一体に突設されている。
【００２６】
一方、前記固定金具１６は、前記間柱本体１５の開口端１９に嵌挿される際に、この間柱本体１５の相対向する２面１５ａ，１５ｃの内面に沿って嵌挿される相対向する２面１６ａ，１６ｂと、該２面１６ａ，１６ｃの端部を連結し且つ嵌挿状態において前記間柱本体１５の開口端１９を閉塞する閉塞面１６ｂとからなるコ字状の金属部材からなっており、この固定金具１６における閉塞面１６ｂには、前記チャンネル２が嵌挿される嵌合凹溝２１を備えた切欠開口２０が形成されており、該切欠開口２０の一方の口縁には、該口縁を折曲部２２として開閉自在とされ且つ前記嵌合凹溝２１を覆う位置と該嵌合凹溝２１を開放する位置とに屈曲変形可能な係合片２３が一体に形成されている。つまり、係合片２３を嵌合凹溝２１を開放する位置に屈曲変形させた（即ち、９０°以上屈曲変形させた）状態においては、図４（イ）に示すように、チャンネル２が嵌合凹溝２１に嵌挿可能となるのである。この状態から係合片２３を嵌合凹溝２１を覆う位置に屈曲変形させると（即ち、元の状態に復帰させると）、図４（ロ）に示すように、嵌合凹溝２１に嵌挿されたチャンネル２の移動が係合片２３により規制されることとなるのである。前記係合片２３の開閉中心となる折曲部２２には、該係合片２３の開閉動作を容易ならしめるための屈曲補助手段として作用する穴２４が形成されている。
【００２７】
上記構成の建造物用下地構造の組立手順について説明する。
【００２８】
まず、図１に示すように、例えば対向する壁面Ｗにおける天井形成部分にコの字状のランナー３，４をそれらの開放側が対向するようにして配設する。
【００２９】
次に、上記構成の複数の金属製四角筒１，１・・をランナー３，４に嵌め込んでいき、金属製四角筒１，１・・をランナー３，４の流れ方向に所定間隔Ｄ1で建て込む。この時、金属製四角筒１，１・・のそれぞれの正面１ａおよび裏面１ｃは同方向に向けられる。このようにすると、ランナー３，４のスパン方向に平行して各金属製四角筒１におけるボード貼付面１ｂが並ぶこととなる。
【００３０】
しかる後、チャンネル２を各金属製四角筒１の裏面側開口６から正面側開口５に次々に挿入する。すると、チャンネル２の先端により固定片１０が押し開けられる。その後チャンネル２を正面側および裏面側開口５，６のチャンネル嵌合溝７，８に嵌合位置決めする。この状態においては、チャンネル２はチャンネル嵌合溝７における舌片１２，１２の圧接規制力により横方向の移動が規制されることとなる。
【００３１】
次に、チャンネル２の挿通時に押し開かれた固定片１０を指力を用いて押し戻すと、固定片１０がチャンネル２に近接される。この状態においては、チャンネル２の移動が固定片１０により規制されることとなる。上記作業を複数回繰り返して、チャンネル２，２・・を金属製四角筒１，１・・に貫通支持する。
【００３２】
上記したようにチャンネル２を組み付けると、チャンネル２は、チャンネル嵌合溝７における舌片１２，１２によって移動が規制されるとともに、固定片１０によっても移動が規制されることとなり、金属製四角筒１，１・・相互間がチャンネル２により強固に連結されることとなる。この状態においては、金属製四角筒１，１・・のランナースパン方向へのユレが完全に防止されることとなり、堅牢な壁面下地構造が仕上がる。
【００３３】
ついで、固定金具１６を、その係合片２３を手指により矢印Ｍ方向に屈曲変形させた状態で、矢印Ｐで示すように、間柱本体１５の開口端１９に嵌挿して間柱１４を完成させる。この時、固定金具１６の２面１６ａ，１６ｃは間柱本体１５の２面１５ａ，１５ｃの内面に対して接着剤を用いるか、あるいは、溶接することにより接合固定するようにしてもよい。その後、間柱１４を矢印Ｑで示す方向からチャンネル２に取り付けた後、係合片２３を矢印Ｎ方向に屈曲変形させて元の状態に復帰させると、チャンネル２は嵌合凹溝２１に嵌挿された状態で位置決め固定されることとなり、格子状の下地構造が完成する。
【００３４】
上記したように、本実施の形態においては、チャンネル２，２・・に間柱１４，１４・・を取り付けるという簡単な手法で、金属製四角筒１，１・・と間柱１４，１４・・とによって格子状の下地構造が得られる。従って、ボード（内装板あるいは外装板）の縦貼りおよび横貼りが自由にできることとなるし、格子状に組むことにより、下地の強度がより一層強固となる。また、ボード（内装板あるいは外装板）を貼設する際に、金属製四角筒１，１・・および間柱１４，１４・・に対してビス止めが可能となるので、下地とボードとが一体化されることとなり、さらに強度が向上する。さらに、天井用として使用した場合、格子状を呈しているところから、間仕切り用のランナをどの位置（即ち、金属製四角筒１，１・・あるいは間柱１４，１４・・）にも取り付けることができることとなり、間取りの変更が簡単にできる。
【００３５】
しかも、間柱本体１５の両端に固定金具１６を嵌挿した状態でチャンネル２に取り付けるだけで、間柱１４のフレ止め部材２，２・・への取付が行えることとなっているので、組付作業が極めて簡単に行える。
【００３６】
また、係合片２３を屈曲変形するという簡単な操作により、チャンネル２を嵌合凹溝２１に嵌挿固定させることが可能となり、簡単且つ強固なチャンネル２の取付状態が得られる。
【００３７】
第２の実施の形態
図５および図６には、本願発明の第２の実施の形態にかかる建造物用下地構造が示されている。
【００３８】
この場合、固定金具１６における２面１６ａ，１６ｃと閉塞面１６ｂとを連結する連結面１６ｄが一体に形成されている。このようにすると、固定金具１６の剛性が向上するところから、出来上がった下地構造の堅牢性もより向上することとなる。その他の構成および作用効果は、第１の実施の形態におけると同様なので説明を省略する。
【００３９】
なお、上記各実施の形態においては天井用の下地構造を例として説明したが、本願発明は、壁用の下地構造にも適用可能である。また、フレ止め部材としてチャンネルを採用しているが、チャンネル以外の形状のものを採用することもできる。
【図面の簡単な説明】
【００４０】
【図１】本願発明の第１の実施の形態にかかる建造物用下地構造を示す斜視図である。
【図２】本願発明の第１の実施の形態にかかる建造物用下地構造の要部を示す拡大斜視図である。
【図３】本願発明の第１の実施の形態にかかる建造物用下地構造の要部を示す拡大分解斜視図である。
【図４】本願発明の第１の実施の形態にかかる建造物用下地構造における固定金具の屈曲変形状態を示し、（イ）は開放状態を、（ロ）は閉塞状態を示す。
【図５】本願発明の第２の実施の形態にかかる建造物用下地構造の要部を示す拡大分解斜視図で
【図６】本願発明の第２の実施の形態にかかる建造物用下地構造における固定金具の屈曲変形状態を示し、（イ）は開放状態を、（ロ）は閉塞状態を示す。
【符号の説明】
【００４１】
１は金属製四角筒
２はフレ止め部材（チャンネル）
１４は間柱
１５は間柱本体
１６は固定金具
１７は開口
２０は切欠開口
２１は嵌合凹溝
２３は係合片
Ｄ1は金属製四角筒の間隔
Ｄ2はフレ止め部材の間隔
【図１】
2005330720.tif 000003
【図２】
2005330720.tif 000004
【図３】
2005330720.tif 000005
【図４】
2005330720.tif 000006
【図５】
2005330720.tif 000007
【図６】
2005330720.tif 000008